(57)【要約】【課題】室外側の眩しさをなくし、軽量で製造し易く、室内の天井側に採光することが可能なルーバー構造を提供する。【解決手段】建築物の壁面に沿った一方向に所定の間隔をあけて複数配置された樹脂製の羽根１２と、羽根１２を支持する支持部１４と、を備え、羽根１２は、上面に、下方に向けて凸状に湾曲する第一放物曲面２１と、第一放物曲面２１の室外側に連接され、下方に向けて凸状に湾曲する第二放物曲面２２と、を有し、下面に、室内側の端部２３ｐが接続部２６を介して第一放物曲面２１の室内側の端部２１ｐに接続され、室外側に向かうに従って第一放物曲面２１から離間しつつ上方に向けて凸状に湾曲する第三放物曲面２３と、第二放物曲面２２の室外側の端部２２ｑと第三放物曲面２３の室外側の端部２３ｑとを接続する第一平面２４と、を有し、第一放物曲面２１と第二放物曲面２２と第三放物曲面２３に鏡面シート２８が設けられている。【選択図】図３
2018040139.tif 000002
【特許請求の範囲】
【請求項１】
建築物の壁面に沿った一方向に所定の間隔をあけて複数配置された樹脂製の羽根と、
前記羽根を支持する支持部と、を備え、
前記羽根は、
上面に、下方に向けて凸状に湾曲する第一放物曲面と、該第一放物曲面の室外側に連接され、下方に向けて凸状に湾曲する第二放物曲面と、を有し、
下面に、室内側の端部が接続部を介して前記第一放物曲面の室内側の端部に接続され、室外側に向かうに従って前記第一放物曲面から離間しつつ上方に向けて凸状に湾曲する第三放物曲面と、前記第二放物曲面の室外側の端部と前記第三放物曲面の室外側の端部とを接続する第一平面と、を有し、
前記第一放物曲面と前記第二放物曲面と前記第三放物曲面に鏡面シートが設けられていることを特徴とするルーバー構造。
【請求項２】
前記第一放物曲面は、前記建築物の室内側上方から室外側下方に向けて前記壁面に交差する仮想光軸線を中心軸とした一方の放物曲面のうち曲面の頂点近傍を切り欠いた曲面であり、
前記第二放物曲面は、前記仮想光軸線を中心として前記一方の放物曲面に対向する他方の放物曲面のうち曲面の頂点近傍を切り欠いた曲面の室外側の端部を焦点とする別の放物曲面であり、
前記第三放物曲面は、前記他方の放物曲面に平行な放物曲面である請求項１に記載のルーバー構造。
【請求項３】
前記鏡面シートは、前記第二放物曲面の室外側の端部の室内側近傍から前記第二放物曲面と前記第一放物曲面にわたって前記接続部の上面まで、および、前記接続部の下面と前記第三放物曲面の室内側の端部から室外側の端部の室内側近傍までに設けられている請求項１または請求項２に記載のルーバー構造。
【請求項４】
前記第一平面には鏡面反射防止構造が設けられている請求項１から請求項３の何れか一項に記載のルーバー構造。
【請求項５】
前記羽根は、アクリロニトリル・ブチルアクリレート・スチレンの重合体と、アクリロニトリル・エチレンプリピレン・スチレンの重合体との混合物からなる樹脂で構成されている請求項１から請求項４の何れか一項に記載のルーバー構造。
【請求項６】
前記羽根は、前記樹脂からなる中空体である請求項５に記載のルーバー構造。
【請求項７】
前記鏡面シートは、入射する光の中心波長において８０％以上の鏡面反射率を有する金属膜を含んでいる請求項１から請求項６の何れか一項に記載のルーバー構造。
【請求項８】
前記支持部は、
前記羽根同士の間に配置された樹脂製のスペーサーと、
前記羽根と前記スペーサーとを貫通して支持する芯材と、を備えている請求項１から請求項７の何れか一項に記載のルーバー構造。
【請求項９】
前記スペーサーは、筒状に形成されており、
上部に前記第三放物曲面と前記第一平面との連接部を嵌合可能な第一嵌合部が形成され、
下部に前記第一放物曲面と前記第二放物曲面との連接部を嵌合可能な第二嵌合部が形成されている請求項８に記載のルーバー構造。
【発明の詳細な説明】
【技術分野】
【０００１】
本発明は、ルーバー構造に関するものであって、特に採光に適したルーバー構造に関する。
【背景技術】
【０００２】
従来から、雨等を遮断し、室内に光や風を選択的に取り入れるため、建築物には、ルーバーを設けることがある。ルーバーは、羽根又は羽板と呼ばれる細長い板を、枠体に隙間をあけて平行に複数並べて配置したものである。
【０００３】
例えば、特許文献１には、建物の壁に配置可能であって、外部の自然光を建物の内部に導入するための採光ルーバーユニットが開示されている。この採光ルーバーユニットは、基本的に、箱型の筺体と、この筺体に複数収納された概ね断面三角形状のルーバーと、筺体の内部において、各ルーバー（羽根）の長手方向における所定の位置に、ルーバーの撓みを防止するために設けられたルーバー支持部材と、を備えている。
【０００４】
また、特許文献２には、日光の低硬度成分が室内に入ることを遮断するlight shading curveと、入射した日光を反射するlight reflecting curveと、light redirecting slopeと、を有するslat（羽根）を複数備えたMini-Optical Light Shelf (MOLS) daylighting system（ルーバー構造）が開示されている。
【先行技術文献】
【特許文献】
【０００５】
【特許文献１】特開２０１４−０２０１３８号公報
【特許文献２】米国特許出願公開第２００３／０１１２５１８号明細書
【発明の概要】
【発明が解決しようとする課題】
【０００６】
しかしながら、特許文献１に開示されている採光ルーバーユニットでは、金属製であり、概ね断面三角形状のプロファイルを有するルーバーの全ての表面が反射面であることから、室外からの光がそれぞれのルーバーにおいて室外に向く面によって反射され、この面から室外に向く光があり、眩しいという問題があった。また、採光ルーバーユニットの大型化に伴い、重量が増大し、製造に時間と手間がかかるという問題があった。
【０００７】
また、特許文献２に開示されているルーバー構造では、light shading curveによって室内への日光の低硬度成分は遮断されるが、室外から見たときの眩しさの問題を本質的に解消することは困難であった。
【０００８】
本発明は、室外側の眩しさをなくし、軽量で製造し易く、室内の天井側に採光することが可能なルーバー構造を提供する。
【課題を解決するための手段】
【０００９】
請求項１記載のルーバー構造は、建築物の壁面に沿った一方向に所定の間隔をあけて複数配置された樹脂製の羽根と、前記羽根を支持する支持部と、を備え、前記羽根は、上面に、下方に向けて凸状に湾曲する第一放物曲面と、該第一放物曲面の室外側に連接され、下方に向けて凸状に湾曲する第二放物曲面と、を有し、下面に、室内側の端部が接続部を介して前記第一放物曲面の室内側の端部に接続され、室外側に向かうに従って前記第一放物曲面から離間しつつ上方に向けて凸状に湾曲する第三放物曲面と、前記第二放物曲面の室外側の端部と前記第三放物曲面の室外側の端部とを接続する第一平面と、を有し、前記第一放物曲面と前記第二放物曲面と前記第三放物曲面に鏡面シートが設けられていることを特徴とする。
【００１０】
上述の構成では、羽根が樹脂製であるので、大型の建築物にルーバー構造を取り付けるために羽根が長尺化しても、金属製の羽根に比べて重量が急増せず、ルーバー構造の軽量化が図られ、羽根の取り扱いが容易になる。また、羽根の形状の設計をする際にも自由度が大きく、押出成形等の製造方法を採用することができ、羽根を製造し易くなる。
【００１１】
また、上述の構成では、室外側上方から室内側下方に向けてルーバー構造に入射した光は、羽根同士の間に形成された第一平面と第二放物曲面との間の空間内に捕捉される。前述の空間内に捕捉された光は、鏡面シートが設けられて反射面となった第二放物曲面によって反射され、羽根同士の間に形成された第一放物曲面と第三放物曲面との間の空間に進む。該空間に進んだ光は、第一放物曲面または第三放物曲面で反射され、適度に拡散しつつ、室内の天井側に取り込まれる。
一方、室外側から室内側に向けてルーバー構造に対して略水平に入射した光、および室外側下方から室内側上方に向けてルーバー構造に入射した光は、鏡面シートが設けられていない、すなわち非反射面である第一平面によって吸収または拡散され、所定の方向に進む眩しい光にならない。そのため、室外側の略水平な方向や室内側下方からルーバー構造を見ても眩しさは感じられない。
【００１２】
したがって、上述の構成によれば、第一平面から室外に向く眩しい光が生じることなく、室外側の眩しさが本質的に解消される。また、樹脂製の羽根に鏡面シートを設けることでコンパクト化および軽量化に優れたルーバー構造としたうえで、室外からの光が室内の天井側に採光される。
【００１３】
請求項２記載のルーバー構造では、前記第一放物曲面は、前記建築物の室内側上方から室外側下方に向けて前記壁面に交差する仮想光軸線を中心軸とした一方の放物曲面のうち曲面の頂点近傍を切り欠いた曲面であり、前記第二放物曲面は、前記仮想光軸線を中心として前記一方の放物曲面に対向する他方の放物曲面のうち曲面の頂点近傍を切り欠いた曲面の室外側の端部を焦点とする別の放物曲面であり、前記第三放物曲面は、前記他方の放物曲面に平行な放物曲面であることを特徴とする。
【００１４】
上述の構成によれば、羽根同士の間の室外側の空間は、第二放物曲面を外縁端の一部とし、第三放物曲面と第一平面との連接部を焦点とした第一の集光空間として機能する。一方、羽根同士の間の室内側の空間は、第一放物曲面と第三放物曲面とを外縁端の一部とし、これらの曲面の室外側の端部を延長した際に接続する仮想接点（頂点）近傍が切り欠かれて開口が設けられた第二の集光空間として機能する。
室外側から上述の曲面プロファイルを有するルーバー構造に入射した光は、第一平面によって反射され、羽根同士の間の第一の集光空間内に、より多く捕捉される。また、第二放物曲面によって反射された光は、開口を通過して、第二の集光空間内に入射する。第二の集光空間の仮想光軸線は天井側に向いているので、第二の集光空間内から出射する光は、第二の集光空間の幅に対応して拡散しつつ天井側に採光される。
【００１５】
請求項３記載のルーバー構造では、前記鏡面シートは、前記第二放物曲面の室外側の端部の室内側近傍から前記第二放物曲面と前記第一放物曲面にわたって前記接続部の上面まで、および、前記接続部の下面と前記第三放物曲面の室内側の端部から室外側の端部の室内側近傍までに設けられていることを特徴とする。
【００１６】
上述の構成によれば、鏡面シートが上述のように鏡面シート２８が配置されることで、鏡面シート２８の端部が羽根１２からはみ出す可能性がなく、鏡面シート２８の剥がれが確実に防止される。
【００１７】
請求項４記載のルーバー構造では、前記第一平面には鏡面反射防止構造が設けられていることを特徴とする。
【００１８】
上述の構成によれば、室外側からルーバー構造に入射した光が第一平面に照射された際に、第一平面に鏡面反射防止構造を設けない場合に比べて室外の所定の方向に向けて反射する光の量が抑えられ、室外側の眩しさが確実になくなる。
【００１９】
請求項５記載のルーバー構造では、前記羽根は、アクリロニトリル・ブチルアクリレート・スチレンの重合体と、アクリロニトリル・エチレンプリピレン・スチレンの重合体との混合物からなる樹脂で構成されていることを特徴とする。
請求項６記載のルーバー構造においては、羽根は、前記樹脂からなる中空体であってもよい。
【００２０】
上述の構成によれば、日光の中心波長に近い５５０ｎｍの波長において鏡面反射率が低く、拡散反射率が高く、熱特性に優れ、加工しやすいという優れた特徴を有する上述の樹脂を用いることで、羽根を製造し易くなり、ルーバー構造の採光特性も良好になる。
また、羽根を上述のように断面中空体とすることによって、例えば押し出し成形を用いて、長尺な羽根を精度良く、容易に製造することができる。
【００２１】
請求項７記載のルーバー構造では、前記鏡面シートは、入射する光の中心波長において８０％以上の鏡面反射率を有する金属膜を含んでいることを特徴とする。
【００２２】
上述の構成によれば、室外側からルーバー構造に入射した光が第一平面によって第二放物曲面に向けて反射された際に、上述の鏡面シートを用いない場合に比べて第一放物曲面、第二放物曲面および第三放物曲面で反射され、室内の天井側に採光される光の量が高まり、より良好な採光が行われる。
【００２３】
請求項８記載のルーバー構造では、前記支持部は、前記羽根同士の間に配置された樹脂製のスペーサーと、前記羽根と前記スペーサーとを貫通して支持する芯材と、を備えていることを特徴とする。
【００２４】
上述の構成によれば、羽根がスペーサーおよび芯材によって支持されているので、大型の枠体等で支持されている従来のルーバー構造に比べて軽量化が図られる。また、上述の構成によれば、スペーサーによって羽根同士が所定の間隔をあけた状態で安定して配置される。さらに、スペーサーが樹脂製であるので、スペーサーおよびルーバー構造の軽量化が図られ、スペーサーの取り扱いが容易になる。羽根と同様に、スペーサーを設計する際の自由度が大きく、押出成形等の方法を用いて製造し易くなる。
【００２５】
請求項９記載のルーバー構造は、前記スペーサーは、筒状に形成されており、上部に前記第三放物曲面と前記第一平面との連接部を嵌合可能な第一嵌合部が形成され、下部に前記第一放物曲面と前記第二放物曲面との連接部を嵌合可能な第二嵌合部が形成されていることを特徴とする。
【００２６】
上述の構成では、羽根同士の間にスペーサーを配置する際に、スペーサーに対して上側の羽根の第三放物曲面と前記第一平面との連接部が第一嵌合部に嵌合し、スペーサーに対して下側の羽根の第一放物曲面と第二放物曲面との連接部が第二嵌合部に嵌合する。このような構成によれば、羽根同士の相対位置が精度良く固定されるので、第一放物曲面、第二放物曲面、第三放物曲面および第一平面のそれぞれの相対位置も精度良く固定され、良好な採光がなされる。
【発明の効果】
【００２７】
本発明に係るルーバー構造によれば、室外側の眩しさをなくし、軽量で製造し易く、室内の天井側に採光することができる。
【図面の簡単な説明】
【００２８】
【図１】本発明を適用した一実施形態のルーバー構造と該ルーバー構造が設置された建築物の一部を示す断面図である。
【図２】本発明を適用した一実施形態のルーバー構造を示す図であり、該ルーバー構造を室外側から見た正面図である。
【図３】本発明を適用した一実施形態のルーバー構造を示す図であり、図２に示すＸ−Ｘ線で矢視した断面図である。
【図４】本発明を適用した一実施形態のルーバー構造の羽根の形状を説明するための概略図である。
【発明を実施するための形態】
【００２９】
以下、本発明を適用したルーバー構造の一実施形態（以下、本実施形態のルーバー構造とすることがある）について、図面を参照して説明する。なお、以下の説明で用いる図面は模式的なものであり、長さ、幅および厚みの比率等は実際のものと同一とは限らず、適宜変更することができる。
【００３０】
図１に示すように、本実施形態のルーバー構造１０は、高層ビル等の建築物Ｂの外壁（壁面）Ｗに平行するＤ１方向（一方向）に沿って設けられている。
【００３１】
建築物Ｂは、Ｄ１方向に沿って、仕切板２や梁４で区画された複数の階層Ｌを有している。仕切板２の上面には、間隔を空けて床板８が設けられている。それぞれの階層Ｌは、Ｄ１方向に沿って、天井板６により居室Ｉと天井Ｔとに区画されている。建築物Ｂの外壁Ｗおよびその近傍には、必要に応じて、方向Ｄ１に沿った板面を有するガラス板や、ガラス板同士で挟まれた空間が設けられ、いわゆるダブルスキンカーテンウォール構造が採用されている。
以下では、Ｄ１方向に直交するＤ２方向において、外壁Ｗに対して居室Ｉおよび天井Ｔが形成されている側を「室内側」とし、その反対側を「室外側」とする。
【００３２】
なお、図１に示す建築物Ｂの構造及び上述の説明は、ルーバー構造１０を取り付ける建築物の一例に過ぎない。ルーバー構造１０は、日光等の光が室外側から入射可能な建築物であれば取り付け可能であって、このような建築物の構造は上述の建築物に限定されない。
【００３３】
ルーバー構造１０は、建築物Ｂの外壁Ｗの室内側であって、居室Ｉの上部に取り付けられている。ルーバー構造１０がこのように配置されていることによって、室外側上方から外壁Ｗに照射された光は、ルーバー構造１０に取り込まれる。
【００３４】
図２に示すように、ルーバー構造１０は、所定の間隔をあけて複数配置された樹脂製の羽根１２と、複数の羽根１２を支持する支持体１４と、を備えている。
【００３５】
図３に示すように、羽根１２は、概ね断面三角形状を有する。羽根１２の上面１２ａには、第一放物曲面２１と、第二放物曲面２２が設けられている。第一放物曲面２１は、下方に向けて凸状に湾曲する面である。第二放物曲面２２は、第一放物曲面２１の室外側に連接され、下方に向けて凸状に湾曲する面である。
羽根１２の下面１２ｂには、第三放物曲面２３と、第一平面２４が設けられている。第三放物曲面２３は、室内側の端部２３ｐが接続部２６を介して第一放物曲面２１の室内側の端部２１ｐに接続され、室外側に向かうに従って第一放物曲面２１から離間しつつ上方に向けて凸状に湾曲する面である。第一平面２４は、第二放物曲面２２の室外側の端部２２ｑと第三放物曲面２３の室外側の端部２３ｑとを接続する面であり、図３の例では下降するに従って室内側に移動する傾斜面である。
【００３６】
第一放物曲面２１と第二放物曲面２２と第三放物曲面２３には、鏡面シート２８が設けられている。すなわち、第一放物曲面２１と第二放物曲面２２と第三放物曲面２３は、室外側上方から外壁Ｗに照射された光を高い反射率で反射可能な反射面となっている。これに対し、第一平面２４は、照射された光の多くが吸収または拡散する非反射面となっている。
【００３７】
なお、図３では、わかりやすく示すために、鏡面シート２８を第一放物曲面２１と第二放物曲面２２と第三放物曲面２３のそれぞれの面から僅かに離間した位置に図示しているが、鏡面シート２８は第一放物曲面２１と第二放物曲面２２と第三放物曲面２３のそれぞれの面に密着している。
【００３８】
また、本実施形態では、鏡面シート２８は、第二放物曲面２２の室外側の端部２２ｑの手前（室内側近傍）から連接部３５と第一放物曲面２１と接続部２６の上面に亘って設けられている。また、鏡面シート２８は、接続部２６の下面と第三放物曲面２３の室内側の端部２３ｐから室外側の端部２３ｑの手前（室内側近傍）までに設けられている。言い換えれば、接続部２６の側面と、連接部３８と、第一平面２４と、第一放物曲面２１の室外側の端部２２ｑと第一平面２４の室外側の端部２４ｑとの最短接続部分には、鏡面シート２８が設けられていない。このように鏡面シート２８が配置されることで、鏡面シート２８の端部は、第二放物曲面２２の室外側の端部２２ｑから屋外側にはみ出さず、接続部２６の上面および下面のそれぞれから室内側にもはみ出さず、かつ、第三放物曲面２３の室外側の端部２３ｑから室外側にもはみ出さない。すなわち、鏡面シート２８が羽根１２からはみ出す可能性がなく、鏡面シート２８の剥がれが確実に防止される。
【００３９】
上述の構成において、第二放物曲面２２が日光等のように室外側上方から室内側下方に向って外壁Ｗに入射する光（例えば、図３に示す光（１））を捕捉する役割を担っている。第一放物曲面２１および第三放物曲面２３は、第二放物曲面２２で捕捉されつつ反射された光を室内側上方に向けて出射する役割を担っている、そして、第一平面２４は、室外側から室内側に向けてルーバー構造１０に対して略水平に入射した光（例えば、図３に示す光（２））、および室外側下方から室内側上方に向けてルーバー構造１０に入射した光（例えば、図３に示す光（３））を吸収または拡散させる役割を担っている。
【００４０】
第一放物曲面２１と、第二放物曲面２２、第三放物曲面２３及び第一平面２４のそれぞれが上述の役割を果たせば、それぞれの面の詳細な形状やプロファイルは限定されない。上述の役割を良好に果たす好適な面の形状と設計方針の一例が、特許第５９３２８２３号公報に開示されており、図３に概略示しているものである。
【００４１】
図４は、上述した好適な形状を有する一つの羽根１２Ａの第一放物曲面２１、第二放物曲面２２、第三放物曲面２３及び第一平面２４を示し、その他の構成を省略したものである。
【００４２】
図４に示すように、第一放物曲面２１は、建築物Ｂの外壁Ｗに平行な仮想軸線Ｊ１に対して室内側上方から室外側下方に向けて交差する仮想光軸線Ｊ２を中心軸とした一方の放物曲面３１のうち曲面の頂点近傍（図４の点線ＤＬ１）を切り欠いた曲面である。第三放物曲面２３は、仮想光軸線Ｊ２を中心として一方の放物曲面３１に対向する他方の仮想放物曲面（他方の放物曲面、図４の二点鎖線）３２のうち曲面の頂点Ｃ１の近傍（図４の点線ＤＬ２）を切り欠いた曲面の室内側の端部３２ｐを第一放物曲面２１の室内側の端部２１ｐの下方まで平行に移動させたものであり、他方の仮想放物曲面３２に平行な放物曲面である。仮想放物曲面３２は、第一放物曲面２１を有する羽根１２Ａの上方に配置されている羽根１２Ｂの第三放物曲面２３に重なる。すなわち、羽根１２Ａの第一放物曲面２１と羽根１２Ｂの第三放物曲面２３は、仮想光軸線Ｊ２を光軸とする集光空間Ｓ２（前述の第二の集光空間）を形成している。
【００４３】
第二放物曲面２２は、仮想放物曲面３２の室外側の端部３２ｑを焦点とする別の放物曲面３３（図４の点線）の一部であり、この放物曲面３３の頂点Ｃ２から第一放物曲面２１の室外側の端部２１ｑまでを切り欠いた曲面である。すなわち、羽根１２Ａの第二放物曲面２２は、仮想光軸線（図示略）を光軸とする集光空間Ｓ１（前述の第一の集光空間）を形成している。羽根１２Ｂの第一平面２４の室内側の端部２４ｐは、放物曲面３３の焦点になっている。
【００４４】
第二放物曲面２２の室外側の端部２２ｑの位置は、日光等のように室外側上方から室内側下方に向って外壁Ｗに入射する光の方向、すなわち仮想軸線Ｊ１に対する入射光の角度を考慮して適宜設定されている。第一平面２４の室外側の端部２４ｑは、第二放物曲面２２の室外側の端部２２ｑから羽根１２の材質の最小加工精度に相当する寸法分を間隔としてあけて第二放物曲面２２の室外側の端部２２ｑに接続されている。
【００４５】
上述したそれぞれの面の好適な形状や設計方針からもわかるように、第一放物曲面２１、第二放物曲面２２、第三放物曲面２３及び第一平面２４は、室外側から室内側に入射する光を所望のように進行、吸収、または拡散させるように、互いに関係し、適切に設計されている。
【００４６】
ルーバー構造１０に入射した光を吸収または拡散させる役割を担っている第一平面２４の非反射性を高める目的で、第一平面２４には鏡面反射防止構造（図示略）が設けられていてもよい。例えば、第一平面２４に反射防止フィルムが設けられていてもよく、第一平面２４に反射防止塗料が塗工されていてもよい。また、第一平面２４に艶消しの加飾が施されていてもよく、シボ加工等がなされていてもよい。
【００４７】
羽根１２は、樹脂製である。羽根１２を構成する樹脂は、特に限定されないが、ルーバー構造１０に入射する光の中心波長において、鏡面反射率が１０％以下であるものが好ましく、５％以下であるものがより好ましい。また、羽根１２を構成する樹脂としては、ルーバー構造１０に入射する光の中心波長において、拡散反射率が７５％以上であるものが好ましく、７５％以上であるものがより好ましい。このような好適な樹脂としては、例えば日光の中心波長に近い５５０ｎｍの波長において鏡面反射率が低く、拡散反射率が高く、軽量性および熱特性に優れ、加工しやすいという点から、アクリロニトリル・ブチルアクリレート・スチレンの重合体と、アクリロニトリル・エチレンプリピレン・スチレンの重合体との混合物からなる樹脂等が挙げられる。アクリロニトリル・ブチルアクリレート・スチレンの重合体と、アクリロニトリル・エチレンプリピレン・スチレンの重合体との混合物からなる樹脂については、白色とした場合、波長５５０ｎｍにおいて鏡面反射率が３％程度に抑えられ、拡散反射率が８０％程度に達する。
【００４８】
図３に示すように、羽根１２は、上述の樹脂からなる中空体であることが好ましい。このように羽根１２が中空体であることにより、羽根１２の軽量化が促進される。中空体とした場合、羽根１２の外周部分の厚みは、羽根１２を構成する樹脂の加工特性および加工後の強度等を考慮して適切に設定されればよい。例えば、羽根１２を構成する樹脂としてアクリロニトリル・ブチルアクリレート・スチレンの重合体と、アクリロニトリル・エチレンプリピレン・スチレンの重合体との混合物からなる樹脂を採用した場合、羽根１２の厚みは２ｍｍから３ｍｍの範囲内とすることができる。
【００４９】
接続部２６は、第一放物曲面２１の室内側の端部２１ｐと第三放物曲面２３の室内側の端部３２ｐとを、羽根１２を構成する樹脂の加工特性および加工後の強度等を考慮した好適な厚みをもって接続するためのものである。
【００５０】
樹脂製の羽根１２は、例えば羽根１２の断面形状と同様の流路を有する金型を用いた押出成形によって容易に製造することができる。
【００５１】
鏡面シート２８は、特に限定されないが、ルーバー構造１０に入射する光の波長帯において、鏡面反射率が８０％以上であるものが好ましく、８３％以上であるものがより好ましい。また、鏡面シート２８としては、ルーバー構造１０に入射する光の波長帯において、拡散反射率が５％以下であるものが好ましく、３％以下であるものがより好ましい。特に、鏡面シート２８は、ルーバー構造１０に入射する光の中心波長において８０％以上の鏡面反射率を有するものであることが好ましく、このような鏡面反射率を有する金属膜を含んでいることが好ましい。また、鏡面シート２８は、２０ＭＰａ以上の破断強度を有するものが好ましい。鏡面シート２８がこのように優れた伸び特性を有することによって、第一放物曲面２１、第二放物曲面２２および第三放物曲面２３のようにいずれも鏡面シート２８が設けられる面とは反対側の面の方向に対して凸状に湾曲する曲面に設けた際に、しわやたるみが生じない状態で鏡面シート２８がこれらの曲面に対して良好に密着し、ルーバー構造１０の光学特性が安定する。
【００５２】
好適な鏡面シート２８としては、例えばアルミニウム膜を含む光輝フィルム等が挙げられる。このような好適な光輝フィルムとしては、日光の中心波長に近い５５０ｎｍの波長において鏡面反射率が低く、拡散反射率が高く、軽量性および熱特性に優れ、加工しやすいという点から、例えば市販の鏡面反射用フィルムであるダイヤラック（登録商標、販売元：日本プライ株式会社）、“ＪＢＲＩＧＨＴ”シリーズ（販売元：日本プライ株式会社）が挙げられる。例えば、本実施形態で用いた光輝フィルムは、底面側から、例えば１５０μｍのＡＢＳ（アクリロニトリル、ブタジエン、スチレンの共重合体）のベースフィルム層と、１２μｍの接着層と、例えばアルミニウムからなる金属光輝層と、耐候性ＰＥＴ（ポリエチレンテレフタレート）と、コート層と、工程用ＰＥＴと、を積層したものである。本実施形態で用いた光輝フィルムでは、波長５５０ｎｍにおいて鏡面反射率が８６．２７％程度（鏡面反射度合は９９．９９％）に達し、拡散反射率は０．０１％程度に抑えられる。また、本実施形態で用いた光輝フィルムは、可視光域にあたる４００ｎｍから７００ｎｍの波長の光に対し、８２％以上の高い鏡面反射率（鏡面反射度合９９．９０％以上）を有している。なお、金属光輝層としては、アルミニウムのほか、銅、ニッケル、クロム、チタン、ステンレス、コバルト、モリブデン、ジルコニウム、タングステン、パラジウム、インジウム、スズ、金、銀であってもよい。
【００５３】
鏡面シート２８を羽根１２の第一放物曲面２１、第二放物曲面２２および第三放物曲面２３に設ける方法は、特に限定されないが、鏡面シート２８が熱に対する耐性を有している、または優れた熱特性を有している場合は、羽根１２の押出成形と並行して押出成形で製造することができる。例えば、羽根１２および鏡面シート２８の断面形状と同様の流路を有する金型を用いた押出成形によって、鏡面シート２８を容易に製造し、上述の所定の曲面上に設けることができる。なお、成形後の羽根１２の第一放物曲面２１、第二放物曲面２２および第三放物曲面２３に鏡面シート２８を公知の貼着方法で貼り付けてもよい。
【００５４】
図２に示すように、複数の羽根１２を支持する支持部１４は、Ｄ１方向に隣り合う羽根１２，１２同士の間に配置された樹脂製のスペーサー１５と、複数の羽根１２と複数のスペーサー１５とを貫通して支持する芯材１６と、を備えている。
【００５５】
スペーサー１５は、Ｄ１方向に隣り合う羽根１２，１２同士の相対位置を保持するための部材である。図３に示すように、スペーサー１５は、筒状に形成されており、筒状部材の軸方向に沿って、芯材１６が貫通可能な貫通孔１５ｈが形成されている。貫通孔１５ｈの内径は、芯材１６の外径より僅かに大きく設定されている。スペーサー１５の上部には、羽根１２の第一放物曲面２１と第二放物曲面２２との連接部３６を嵌合可能な第一嵌合部４１が形成されている。また、スペーサー１５の下部には、羽根１２の第三放物曲面２３と第一平面２４との連接部３８を嵌合可能な第二嵌合部４２が形成されている。
【００５６】
具体的には、スペーサー１５は、軸芯、すなわち仮想軸線Ｊ１を中心として径方向内側に筒状の軸部１５Ａを有し、軸部１５Ａの径方向外側にスペース保持部１５Ｂを有している。前述のように、軸部１５Ａには、貫通孔１５ｈが形成されている。スペース保持部１５Ｂの上部には、連接部３６とその近傍の第三放物曲面２３、第一平面Ｄ１と同一の形状に切り欠いた状態で第一嵌合部４１が形成されている。スペース保持部１５Ｂの下部には、円筒の下部を連接部３８とその近傍の第一放物曲面２１、第二放物曲面２２の形状と同一の形状に切り欠いた状態で第二嵌合部４２が形成されている。
【００５７】
羽根１２の第一放物曲面２１の室外側には、連接部３６にスペーサー１５の第一嵌合部４１を嵌合させた際に、スペーサー１５の軸部１５Ａの下部を羽根１２の内部に貫通可能な貫通孔２１ｈが形成されている。一方、羽根１２の第三放物曲面２３の室外側には、連接部３８を第二嵌合部４２に嵌合させた際に、スペーサー１５の軸部１５Ａの上部を羽根１２の内部に貫通可能な貫通孔２３ｈが形成されている。このような嵌合状態及び部材同士の貫通状態によって、隣り合う羽根１２同士の相対位置が高い精度で設計通りに固定されている。例えば、羽根１２のＤ２方向の幅寸法が６０．９６ｍｍであり、Ｄ１方向に隣り合う羽根１２，１２のそれぞれの第二放物曲面２２の室外側の端部２２ｑ同士の直線距離が２６．４５ｍｍである場合は、Ｄ１方向に隣り合う羽根１２，１２のうち、上方の羽根１２の連接部３８と下方の羽根１２の連接部３６との直線距離は７．５３ｍｍに保持されることが好ましい。このように正確さが求められる羽根１２，１２同士の相対位置も良好に固定可能とされている。
【００５８】
スペーサー１５を構成する樹脂は、特に限定されないが、スペーサー１５はルーバー構造１０に入射する光の通過領域に配されることから、ルーバー構造１０に入射する光の波長帯域に対して透明であって、軽量なものが好ましい。このような樹脂としては、例えばアクリルや、メチルアクリレートとメチルメタクリレートとの共重合体にメタクリル酸メチル（残留モノマー）を混合したもの（例えば、市販のパラペット（登録商標、販売製造元：株式会社クラレ））等が挙げられる。
スペーサー１５は、例えば押出成形によって容易に製造可能である。
【００５９】
芯材１６は棒状部材で構成されている。芯材１６の材質は、特に限定されないが、複数の羽根１２および複数のスペーサー１５を支持可能な強度を有し、軽量なものが好ましい。このような芯材１６の材質としては、例えば、アルミニウムやステンレス（ＳＵＳ）等が挙げられる。
【００６０】
以上説明した本実施形態のルーバー構造１０によれば、室外側から室内側に向けてルーバー構造１０に対して略水平に入射した光、および室外側下方から室内側上方に向けてルーバー構造１０に入射した光は、鏡面シート２８が設けられていない非反射面である第一平面２４によって吸収または拡散させ、所定の方向に進む眩しい光の発生を防止することができる。そのため、室外側の略水平な方向や室内側下方からルーバー構造１０を見たときの眩しさを本質的に解消することができる。
【００６１】
また、本実施形態のルーバー構造１０では、第一平面２４に鏡面反射防止構造を設けることで、室外側から室内側に向けてルーバー構造１０に対して略水平に入射した光、および室外側下方から室内側上方に向けてルーバー構造１０に入射した光の鏡面反射を確実に抑え、室外側の略水平な方向や室内側下方からルーバー構造１０を見たときの眩しさをさらに抑えることができる。
【００６２】
一方で、本実施形態のルーバー構造１０によれば、室外側上方から室内側下方に向けてルーバー構造１０に入射した光をＤ１方向に隣り合う羽根１２，１２のうち上側の羽根１２の第一平面２４と下側の羽根１２の第二放物曲面２２との間の空間内に捕捉することができる。前述の空間内に捕捉された光は、下側の羽根１２において鏡面シート２８が設けられて反射面となった第二放物曲面２２によって反射され、下側の羽根１２において鏡面シート２８が設けられて反射面となった第一放物曲面２１と上側の羽根１２において鏡面シート２８が設けられて反射面となった第三放物曲面２３との間の空間に進む。該空間に進んだ光は、第一放物曲面２１、第三放物曲面２３で反射され、適度に拡散しつつ、居室Ｉの天井側に向けて出射される。このように光を進行および出射させることで、室外側上方から室内側下方に向けてルーバー構造１０に入射した光を居室Ｉの天井側へと良好に採光することができる。
【００６３】
また、第一放物曲面２１を、仮想光軸線Ｊ２を中心軸とした一方の放物曲面３１のうち曲面の頂点Ｃ１近傍を切り欠いた曲面とし、第三放物曲面２３は、他方の仮想放物曲面３２に平行な放物曲面とし、第二放物曲面２２を、仮想光軸線Ｊ２を中心とした他方の仮想放物曲面３２のうち曲面の頂点Ｃ２近傍を切り欠いた曲面の室外側の端部３２ｑを焦点とする別の放物曲面３３の一部とすることで、Ｄ１方向に隣り合う羽根１２，１２のうち上側の羽根１２の第一平面２４と下側の羽根１２の第二放物曲面２２との間の空間を集光空間Ｓ１として機能させ、上側の羽根１２の第三放物曲面２３と下側の羽根１２の第一放物曲面２１との間の空間を集光空間Ｓ２として機能させることができる。このように集光空間Ｓ１，Ｓ２が適切に接続された構成を採用することによって、室外側上方から室内側下方に向けてルーバー構造１０に入射した光を居室Ｉの天井側に効率良く採光することができる。
【００６４】
また、鏡面シート２８を、第二放物曲面２２の室外側の端部２２ｑの手前から連接部３５と第一放物曲面２１と接続部２６の上面に亘って設け、接続部２６の下面と第三放物曲面２３の室内側の端部２３ｐから室外側の端部２３ｑの手前までに設けることで、鏡面シート２８の端部を羽根１２からはみ出させることなく、鏡面シート２８の剥がれを確実に防止することができる。これにより、ルーバー構造１０を長期にわたって良好に使用可能とすることができる。
【００６５】
さらに、鏡面シート２８として、ルーバー構造１０に入射する光の中心波長において８０％以上の鏡面反射率を有する金属膜を含むものを用いることで、Ｄ１方向に隣り合う羽根１２，１２のうち上側の羽根１２の第一平面２４と下側の羽根１２の第二放物曲面２２との間の空間内に捕捉された光を低損失に反射させ、居室Ｉの天井側へと出射させることができる。
【００６６】
そして、本実施形態のルーバー構造１０によれば、羽根１２が樹脂製であるので、例えば高層ビル等の大型の建築物Ｂにルーバー構造１０を取り付けるために羽根１２が長尺化した場合等でも、従来提案されているルーバー構造に用いられる金属製の羽根に比べて重量の急増を抑え、羽根１２の軽量化を図ることができる。羽根１２を中空体とすることで、さらに軽量化を図ることができると共に、羽根１２の製造方法として押出成形を採用し易くなり、長尺な羽根１２を高い形状精度で容易に製造することができる。また、羽根１２の取り扱いが容易になり、設計の自由度を高めることができる。また、羽根１２およびスペーサー１５が棒状部材からなる芯材１６によって支持されているので、大型の枠体等で支持されている従来のルーバー構造に比べてルーバー構造１０の軽量化を図ることができる。
加えて、支持部１４において、スペーサー１５を樹脂製とし、芯材１６にアルミニウムやステンレス等の軽量な材料を用いることで、ルーバー構造１０の全体的な軽量化を図ることができる。
【００６７】
また、本実施形態のルーバー構造１０によれば、筒状のスペーサー１５の軸線に沿って貫通孔１５ｈを形成し、スペーサー１５の上部に第一嵌合部４１を形成し、スペーサー１５の下部に第二嵌合部４２を形成することによって、芯材１６に対して羽根１２とスペーサー１５とを挿通させる際に、連接部３６にスペーサー１５の第一嵌合部４１を嵌合させ、連接部３８を第二嵌合部４２に嵌合させることができる。このように、連接部３６，３８をそれぞれ、第一嵌合部４１と第二嵌合部４２のそれぞれに嵌合させるだけで、設計通りの相対配置を保持した状態で、複数の羽根１２同士を所定の間隔をあけて正確に、かつ容易に配置することができる。
【００６８】
上述のように、本実施形態のルーバー構造１０によれば、室外側の眩しさを本質的になくし、軽量で製造し易く、室内の天井側に採光することができる。
【００６９】
以上、本発明の好ましい実施形態について詳述したが、本発明は係る特定の実施形態に限定されるものではなく、特許請求の範囲内に記載された本発明の要旨の範囲内において、種々の変更が可能である。
【００７０】
例えば、図１には、建築物Ｂとしてダブルスキンカーテンウォール構造が多く採用されている高層ビルを例示し、ルーバー構造１０が建築物Ｂの外壁Ｗの室内側であって、居室Ｉの上部に取り付けられている場合について説明した。しかしながら、本発明に係るルーバー構造１０は、特許文献１に開示されている構成例のように箱体（筐体）等を必要とはせず、光の入射方向において羽根１２の前方および後方が何らかの構造物で塞がれることはないので、採光の他に採風も行うことができる。したがって、ルーバー構造１０は、高層または大型の建築物に限定されず、単層の建物や公共施設、住居に取り付けることも容易であり、取り付けた際の省エネルギー効果も期待される。
【００７１】
また、建築物Ｂに既設されているブラインドの上部をルーバー構造１０に置き換えることも可能である。これにより、居室Ｉでは、ブラインドとルーバー構造１０とを独立して機能させることができる。例えば、日射が強いときに、ブラインドを用いて居室Ｉのルーバー構造１０よりも下方の領域では室外側から室内側に進む光を遮断する一方、ルーバー構造１０では強い日光を室内側に取り入れ居室Ｉ内を明るくすることができる。
【符号の説明】
【００７２】
１０  ルーバー構造
１２，１２Ａ，１２Ｂ  羽根
１４  支持部
１５  スペーサー
１６  芯材
２１  第一放物曲面
２２  第二放物曲面
２３  第三放物曲面
２４  第一平面
２８  鏡面シート
３１  一方の放物曲面
３２  他方の仮想放物曲面（他方の放物曲面）
４１  第一嵌合部
４２  第二嵌合部
Ｂ  建築物
Ｊ２  仮想光軸線
【図１】
2018040139.tif 000003
【図２】
2018040139.tif 000004
【図３】
2018040139.tif 000005
【図４】
2018040139.tif 000006